(57)【要約】【課題】特定の機能、装置、又は所定の場所にアクセスするための時計（１）等の電子デバイスのタッチスクリーン（５）によるセキュリティコードの入力方法を提供する。【解決手段】タッチスクリーンは、指又はスタイラスによるユーザの手動操作によって起動できるコントロールキーを備える。各々のキーは、電子デバイスのマイクロプロセッサユニットに接続されている。入力されるコードである第１の標点を表すタッチスクリーンのキーに指又はスタイラスを置き、指又はスタイラスを第１の標点から第２の標点のキーまで特定の軌跡（ｄ１、ｄ２）上を動かし、指又はスタイラスを所定期間にわたって第２の標点上に置いたままとするか又は入力される第２の標点のキー領域における指の軌跡の変化を検出し、指を第２の標点のキーから第３の標点のキーまで特定の軌跡（ｄ３、ｄ４）上を動かし、入力コードを確認して機能、装置、及び所定の場所にアクセスするために、タッチスクリーンから指又はスタイラスを離す。【選択図】図１ａ
2004178584.tif 000002
【特許請求の範囲】
【請求項１】
機能、装置（２０）、又は所定の場所（３２）にアクセスするために電子デバイスのタッチスクリーン（５）を用いてセキュリティコードを入力する方法であって、前記タッチスクリーンは、指又はスタイラスによるユーザの手動操作によって起動できるコントロールキー（４）を備え、前記キーの各々は、前記電子デバイスのマイクロプロセッサユニット（１１）に接続された少なくとも１つの感応パッドから構成されており、前記セキュリティコードの入力モードにおいて、
ａ）入力されるコードの第１の標点を表す前記タッチスクリーンの第１のキー上に指又はスタイラスを置く段階と、
ｂ）前記タッチスクリーンの前記第１のキーから、入力されるコードの第２の標点を表す前記タッチスクリーンの第２のキーまで、指又はスタイラスを特定の軌跡（ｄ１、ｅ１；ｔ１、ｔ２）上を動かす段階と、
を含み、前記マイクロプロセッサユニットは、前記指又はスタイラスの前記スクリーン上での移動中に起動された前記感応キー又はパッドを記憶して、前記セキュリティコードを決定することを特徴とする方法。
【請求項２】
前記指又はスタイラスは、入力されるコードの最後の標点で前記タッチスクリーンから離して、前記機能、装置、又は所定の場所にアクセスできるように前記コードを有効化することを特徴とする請求項１に記載の方法。
【請求項３】
前記電子デバイスは、機能、装置（２０）、又は所定の場所（３２）へのアクセスを可能にする少なくとも１つのセキュリティコードを記憶するための、前記マイクロプロセッサユニットに接続されているメモリ（１２）を備え、前記電子デバイスが前記メモリ上の前記セキュリティコードを記憶又は変更するモードにある場合、前記方法は、段階ａ）、段階ｂ）、及び入力されるコードの最後の標点で前記タッチスクリーンから前記指又はスタイラスを離して前記コードを有効化する段階を含むことを特徴とする請求項１に記載の方法。
【請求項４】
前記マイクロプロセッサユニット（１１）はメモリ（１２）に接続され、前記メモリ内に記憶された又は記憶される前記セキュリティコードは、数字又は番号により表される３つ以上の標点を含むようになっており、前記セキュリティコードの入力モード又は前記メモリ内の前記セキュリティコードの記憶又は変更モードにおいて、前記セキュリティコードの前記第１の標点と最後の標点との間で入力される各々の標点に関して、前記マイクロプロセッサユニットは、入力される標点のキー領域における前記スクリーン上での指又はスタイラスの動きの変化、又は入力される標点のキー上で指又はスタイラスを保持する所定期間を検出するようになっており、その場合、前記セキュリティコードは、入力される最後の標点のキーから前記指又はスタイラスを離すことによって有効化されることを特徴とする前記請求項のいずれか１項に記載の方法。
【請求項５】
前記指又はスタイラスは、前記マイクロプロセッサユニットのプログラミングに基づいて、入力される前記セキュリティコードの各々の標点を入力するために、前記セキュリティコードの各々の標点のキー上に所定期間にわたって保持されることを特徴とする前記請求項のいずれか１項に記載の方法。
【請求項６】
前記装置は、前記装置又は前記所定の場所の送受信器（２４、２６、３０、３１）と無線通信を行うための信号を送信及び／又は受信する手段（２、２’）を備える携帯型機器であり、この場合、問い合わせ信号が、制限された区域内の前記携帯型機器が受信できるように前記送受信器によって送信され、前記問い合わせ信号の受信後に、前記セキュリティコードは、前記送受信器へ送信及び照合されて前記装置又は所定の場所へのアクセスを許可するため、前記携帯型機器へ入力されることを特徴とする請求項１に記載の方法。
【請求項７】
前記タッチスクリーンの前記コントロールキー（４）は、前記問い合わせ信号が受信されると直ちに起動することを特徴とする請求項６に記載の方法。
【請求項８】
前記電子デバイスは腕時計（１）であり、前記時計は、液晶ディスプレイ（６）、信号を送信及び／又は受信する手段（２、２’）、及び前記時計の種々の機能を起動させるための少なくとも１つのコントロールボタン（９）を備えており、前記タッチスクリーンのコントロールキー（４）は、前記ボタンの押圧時に起動され、この場合、前記液晶ディスプレイ（６）は、前記セキュリティコードの入力、確認、及び送信といった種々の操作を表示することを特徴とする請求項１に記載の方法。
【請求項９】
前記電子デバイスは腕時計（１）であり、前記時計は、液晶ディスプレイ（６）、信号を送信及び／又は受信する手段（２、２’）、及び前記時計の種々の機能を起動させるための少なくとも１つのコントロールボタン（９）を備え、前記コントロールキーは、前記コードを入力するために時計ガラスの周囲に配置され、標点マークは、前記コントロールキーの位置及びそれらの標点を示すために前記ガラス上に配置されており、前記マイクロプロセッサユニット内で実行される前記セキュリティコードの初期プログラミングに基づいて、前記指又はスタイラスを、入力されるコードの１つの標点から他の標点へ時計方向又は反時計方向に動かすようになっていることを特徴とする請求項１に記載の方法。
【請求項１０】
前記セキュリティコードは３つ以上の標点を含み、入力されるコードの前記第１の標点の入力後、及び最後の標点の入力前に、前記マイクロプロセッサユニットは、入力されるコードの標点のキー領域内のガラス上の指又はスタイラスの回転方向の変化を検出することを特徴とする請求項９に記載の方法。
【請求項１１】
前記指又はスタイラスが、ケース（３）のベゼル（３ａ）の上縁によって案内された状態で、１つの標点から他の標点までガラス上を動くことを特徴とする請求項９に記載の方法。
【請求項１２】
前記時計は、時間を表示するための時針を有し、前記セキュリティコードの入力モード、又は前記マイクロプロセッサユニット（１１）に接続されたメモリ（１２）内の前記セキュリティコードの記憶又は変更モードにおいて、前記時針は、前記セキュリティコードの各々の入力標点を表示するように動くことを特徴とする請求項９に記載の方法。
【請求項１３】
前記電子デバイスは腕時計（１）であり、前記時計は、信号を送信及び／又は受信する手段（２、２’）、及び前記時計の種々の機能を起動させるための少なくとも１つのコントロールボタン（９）を備え、前記コントロールキーは、前記コードを入力するために前記時計ガラス上にマトリックス形状に配列され、標点マークは、前記コントロールキーの位置及びそれらの標点を示すために前記ガラス上に配置されており、前記指又はスタイラスが、入力される前記セキュリティコードの数字又は番号を表す１つの標点から、数字又は番号を表す他の標点まで特定の軌跡上を移動し、前記マイクロプロセッサユニットが、前記指又はスタイラスの移動中に起動された前記コントロールキーを記憶して前記セキュリティコードを決定することを特徴とする請求項１に記載の方法。
【請求項１４】
前記マイクロプロセッサユニット（１１）は、前記電子デバイスの不揮発性メモリ（１２）に記憶されている基準セキュリティコードを用いて、各々のコード入力ステップ又はコード入力の最後に、前記セキュリティコードを確認することを特徴とする請求項１に記載の方法。
【請求項１５】
前記電子デバイスはアナログ腕時計であり、入力されるコードの各々の標点を前記腕時計の文字盤に表示される時間の数字に関連付けるために、前記タッチスクリーンのキー数が１２又は１２の倍数であることを特徴とする、請求項１に記載の方法。
【請求項１６】
前記請求項の１つに記載の方法を実行するための電子デバイスであって、前記デバイスは、指又はスタイラスによるユーザの手動操作によって起動できるコントロールキー（４）を有するタッチスクリーンを備え、前記キーの各々は、マイクロプロセッサユニット（１１）に接続された少なくとも１つの感応パッドから構成され、前記マイクロプロセッサユニットは、前記スクリーン上での第１の標点を表す第１のキーから第２の標点を表す第２のキーへの前記指又はスタイラスの移動中に起動された感応キー又は感応領域を記憶して、前記セキュリティコードを決定することを特徴とする電子デバイス。
【発明の詳細な説明】
【技術分野】
【０００１】
本発明は、機能、装置、又は所定の場所にアクセスするための電子デバイスのタッチスクリーンによるセキュリティコードの入力方法に関する。デバイスのタッチスクリーンは、指又はスタイラスによるユーザの手動操作によって起動させることができるコントロールキーを備える。各々のキーは、電子デバイスのマイクロプロセッサユニットに接続された少なくとも１つの感応パッドから構成されている。セキュリティコードの入力方法は、例えば、腕時計等の携帯型機器で実現できる。
【０００２】
また、本発明は、前記方法を実施するための電子デバイスに関する。
【背景技術】
【０００３】
特定の用途において、パーソナルコンピュータ・ワークステーション等の装置、金庫室等の保護された場所、又はビルや自宅の特定の場所に対して権限保持者がアクセスするためのセキュリティコードを作成することが必要である。この目的のために、ＧＢ２１２９１７６には、不揮発性メモリ内にセキュリティコードを格納した腕時計をユーザに提供することが提案されている。時計ケースの裏蓋にはユーザの手首と接触する電気接点が設けられている。また、時計は、セキュリティコードを送信する手段を備えている。個人用時計の着用者の指がアクセスされる位置の受信器の導電性表面に接触すると、セキュリティコードは、自動的に抵抗器を介して数字で送信される。その結果、セキュリティコード信号は、時計の処理ユニットから時計着用者の手を経由して受信部へ送信される。従って、セキュリティコードは時計着用者の物理的パラメータに依存するので、保護された場所に入る権限保持者の識別が可能になる。
【０００４】
このようなアクセス手続きの欠点は、セキュリティコードの送信が時計ユーザの手首と接地との間で形成されるキャパシタ値にも依存する点にある。つまり、時計のユーザが履いている靴の種類がアクセス場所にある受信器に送信されるセキュリティコードの認識に対してかなり影響を及ぼす可能性がある。
【０００５】
セキュリティコードの入力に関して別の解決方法が考えられる。複雑なデバイスでは、音声認識、指紋、又は目の内部組織によって照合を行い、装置又は所定の場所へのアクセスのためのセキュリティコードを形成することができる。
【０００６】
簡単には、セキュリティコードは、時計に入力して、特に、無線周波数、光、又は音響信号を送信することで送信できる。このセキュリティコードは、時計の種々のボタン又はキーによって入力できる。本発明によれば、セキュリティコードは、ユーザが指やスタイラス等を用いて電子デバイスのタッチパネルに入力するようになっている。
【０００７】
文字認識の技術分野では、複数の接触感応パッドを実装したタッチスクリーンを用いることが公知である。このようなタッチスクリーンを有する腕時計が説明されている米国特許第４，１３９，８３７号を引用することができる。この米国特許では、タッチスクリーンの感応パッドは、ユーザが指によって指示した数字や演算記号等の文字を認識するための論理回路及び処理ユニットに接続されている。処理ユニットは、指が最初に触れた感応パッド、最後に触れた感応パッド、及び指の移動時に触れた感応パッドを考慮して、ユーザが指によって指示した数字又は演算記号を認識する。つまり、このタッチスクリーンを用いて、ガラスの感応パッド上の指の動きによって文字の認識を行うことが可能である。この時計は、例えば、電卓として使用できる。しかしながら、この時計は、時計の特定の機能、又は時計のユーザから遠く離れた装置や場所にアクセスできるようにセキュリティコードを入力するための手段を備えていない。
【０００８】
【特許文献１】ＧＢ２１２９１７６公報
【特許文献２】ＵＳＰ４，１３９，８３７
【発明の開示】
【発明が解決しようとする課題】
【０００９】
従って、本発明の主題は、特定の機能、装置、又は場所にアクセスするための電子デバイスのタッチスクリーンを用いたセキュリティコードの入力方法であり、本方法は、従来技術の欠点を解消してセキュリティコードを迅速かつ容易に入力できるようにする。
【課題を解決するための手段】
【００１０】
この目的のために、本発明の主題は、請求項１に記載の特徴を有するセキュリティコードの入力方法、すなわち機能、装置、又は所定の場所にアクセスするために電子デバイスのタッチスクリーンを用いてセキュリティコードを入力する方法であって、タッチスクリーンは、指又はスタイラスによるユーザの手動操作によって起動できるコントロールキーを備え、そのキーの各々は、電子デバイスのマイクロプロセッサユニットに接続された少なくとも１つの感応パッドから構成されており、前記セキュリティコードの入力モードのときに、ａ）入力されるコードの第１の標点を表す前記タッチスクリーンの第１のキー上に指又はスタイラスを置き、ｂ）前記タッチスクリーンの前記第１のキーから、入力されるコードの第２の標点を表す前記タッチスクリーンの第２のキーまで、指又はスタイラスを特定の軌跡上を動かすことを含み、前記マイクロプロセッサユニットは、前記指又はスタイラスの前記スクリーン上での移動中に起動された前記感応キー又はパッドを記憶して、前記セキュリティコードを決定することを特徴とする方法である。
【００１１】
本発明によるセキュリティコードの入力方法の利点は、プッシュボタン式キーボードを必要とすることなく、指やスタイラスを用いて容易かつ迅速に電子デバイスのタッチスクリーン上にそのコードを入力できる点にある。電子デバイスは、電気製品や携帯型機器の一部を構成するか、又は所定の場所の入口に配置することができる。
【００１２】
特に時間及び日付を表示すために、日常的に多くの人々に着用される携帯型機器を成す腕時計は、セキュリティコードの入力方法の実行に好都合に利用できる。セキュリティコードを入力するためのコントロールキーは、時計ガラスの内側又は外側表面に配置された感応パッドによって形成される。ガラスの周囲に所定数の感応パッドを配列すると、ユーザの指によるセキュリティコードの入力が容易になる。ガラスの周囲の感応キー又はパッドの数は、例えば、相互に適切に間隔をあけることによって６個とすることができる。
【００１３】
時計ガラスを取り囲むケースのベゼル又はリム部の上縁を用いることで、指を入力コードの第１の標点キーから第２の標点キーへ進めることが容易になる。ユーザが指を第１の標点から第２の標点へ時計方向に動かしたか、又は反時計方向に動かしたかに応じて２つのセキュリティコードを入力でき、マイクロプロセッサユニットはこのことを認識できる。しかしながら、マイクロプロセッサユニットは、コードの第１の標点キーと第２の標点キーとの間の、時計ガラスの種々の感応パッド上の指の複合的な動きを考慮することができる。従って、２つの標点のみで複数のセキュリティコードを入力でき、例えば、これはユーザがガラス上の彼らの指の移動方法を覚えている限りは数字である。
【００１４】
セキュリティコードに関して３つ以上の標点を入力する必要がある場合、指が反時計方向又は時計方向に各々の標点の間のベゼルの上縁をたどるようにプログラムできる。ベゼルの上縁は円形であることが好ましいが、正方形又は他の形状であってもよい。つまり、時計ガラス上へのセキュリティコードの入力は、金庫のダイアルロックのセキュリティコードの入力と同様である。コードの最初の標点と最後の標点との間のタッチスクリーン上の指又はスタイラスの動きに応じて、マイクロプロセッサユニットは、スクリーン上の入力される各々の標点キー領域における指又はスタイラスの移動軌跡の変化を検出できる。また、マイクロプロセッサユニットは、指又はスタイラスが入力標点キー上に所定期間保持されるのを検出することもできる。
【００１５】
本発明による方法を実行するための腕時計や携帯電話等の携帯型機器の特定の実施形態によれば、タッチスクリーンはマトリックス形状に配列されたコントロールキーを備えることができる。各々のコントロールキーは、マイクロプロセッサユニットによって規定された構成に基づいて、１つ又はそれ以上の感応パッドによって構成される。この構成における感応パッドの数は２５以上とすることができる。
【００１６】
この目的のために、更に、本発明は、請求項１５に記載の特徴を有する方法を実行するための電子デバイスに関する。
【発明を実施するための最良の形態】
【００１７】
電子デバイスのタッチスクリーンを利用したセキュリティコードの入力方法の目的、利点、及び特徴は、添付図面を参照して以下の説明によって更に明確になるはずである。
【００１８】
以下の説明において、セキュリティコードの入力方法を実行するよう機能する当業者には公知の電子部品は詳細には説明しない。本発明の方法によれば、セキュリティコードは、電子デバイスのタッチスクリーンのコントロールキーを用いてユーザの指により入力される。このコードは、一般的に、スクリーンの起動キーである少なくとも１つの感応パッドの第１の標点、同じキー又は別の起動キーである第２の標点、及びタッチスクリーン上で第１の標点から第２の標点まで指がたどった経路によって定められる。スクリーン上の指の経路は、起動パッド、つまり第１の標点から第２の標点までの起動パッドの確認によって検出できる。
【００１９】
図１ａに関するセキュリティコードの入力方法を実行するためには、電子デバイスは第１の実施形態による腕時計であることが好ましい。腕時計１はアナログ式であり、文字盤８、時間を示す時針、ガラス５で閉鎖されたケース３内の文字盤８の下に配置された時計ムーブメント、データや実行された操作を表示する液晶ディスプレイ６、ガラスの内面のコントロールキー４、及びケース上のコントロールボタン９を備えている。ガラス５は、ベゼル３ａによって、又はケース３のリムの上部によって支持されている。ケース３内の電池又は蓄電池（図示せず）が時計の電子部品に電力を供給する。コントロールキー４は複数の静電容量式センサであることが好ましく、各々は起動させられるセンサの特定の領域に置かれたユーザの指又はスタイラス（図示せず）によって起動する。透明であることが好ましい少なくとも１つの感応パッドが各々のセンサ又はコントロールキーを構成している。
【００２０】
また、ケースに時計の種々の機能を作動させるためのコントロールボタン等を備えた、時間を数字で示す時計も想定されていることは明らかである。更に、時間及びデータを調整するために少なくとも１つの竜頭を特別に設けることができる。
【００２１】
内面に接触感応キー４又はパッドを有するガラス５は、腕時計の場合には電子デバイスのタッチスクリーンを構成する。図１ａの実施形態において、時計ガラスは、ガラスの周囲に配置され、適切に間隔をあけた６つのキー又はパッド４を備える。感応キー又はパッドは、時計の機能の種々のメニューを選択できるようにガラスの中央に配置できる。セキュリティコード用の入力メニューにおいて、各々のキーは入力コードの数字又は番号を代表している。コード入力を容易にするために、数字又は番号を表す識別マークを、透明キー又はパッドの位置を示すようにガラスの下に配置できる。
【００２２】
図２に示すように、時計ケース３のベゼル３ａの上部は傾斜させられた縁部を有する。ユーザは、セキュリティコードを入力するためにガラスの周囲のキーの上で指を動かす場合、指をこの縁部の上に置くことができる。従って、ガラス上での指の案内を容易にするために、ガラスの外面はベゼル３ａの上縁の下に配置することが好ましい。
【００２３】
本発明による方法を実行するために、腕時計１は図３に概略的に示す種々の電子部品を備える。詳細には、時計１は、ダイアリー機能やセキュリティコード入力機能といった特定の独自の機能を実行するようプログラムされたマイクロプロセッサユニット１１を備える。また、マイクロプロセッサユニット１１は、時計の文字盤８上の時針７による時間表示に関するコマンドのための時間基準に関連する幾つかのモジュールを備える。水晶振動子１０に接続された振動子ステージはマイクロプロセッサユニット１１内に設けられ、時計の種々の作動を順序付けするようになっている。振動数は約３２，７６８Ｈｚ程度である。
【００２４】
ユニット１１のマイクロプロセッサは、例えば、スイスのＥＭ  Ｍｉｃｒｏｅｌｅｃｔｒｉｃ−Ｍａｒｉｎ  ＳＡで製造された８ビットＰＵＮＣＨマイクロプロセッサである。
【００２５】
コントロールボタン９を押すと、例えば、タッチスクリーンのコントロールキー４が起動してマイクロプロセッサユニット１１に信号を供給する。セキュリティコードの入力モードにおいて、キー４からのこれらの信号は、入力されるコードの数字や番号、及びコード入力のために指がガラス上をたどる経路に関連する。感応パッドに接続されたマイクロプロセッサユニットは、セキュリティコードの入力のための時計ガラス上の指の動きを解釈することができる。他の選択モードにおいて、キー４は、ダイアリー機能といった別のメニュー選択を行うことができる。ダイアリー機能において、不揮発性ＥＥＰＲＯＭ１２メモリ内に格納されているデータを編集することができる。参照又は編集データは、少なくとも１つの液晶ディスプレイ６で表示できる。
【００２６】
マイクロプロセッサユニット１１は、コンピュータ・ワークステーション等の装置やセキュリティ携帯構造へセキュリティコードを送信するための無線周波数信号を送信及び／又は受信する手段であるＲＦモジュール１３及びアンテナ２に接続されている。また、セキュリティコード要求に関連する無線周波数信号は、この送信及び／又は受信手段によって受信できる。この場合、時計ガラスのコントロールキーは、セキュリティコード要求信号を受信すると直ちに作動可能になる。これらの送信及び／又は受信手段は、当業者の基礎知識の一部であり詳細に説明しない。
【００２７】
時計の感応パッド及び電子部品のレイアウトに関する補足的な技術的詳細は、本出願人によるＥＰ０８３８７３７、及びスイス・クロノメトリ・ソサイエティの第６４回総会（１９９９年９月３０日）のＡｓｕｌａｂ  ＳＡからの「Ｍｏｎｔｒｅ  ａｌｔｉｍｅｔｒｅ−ｂｏｕｓｓｏｌｅ  ｐｒｅｓｅｎｔａｎｔ  ｕｎ  ｎｏｕｖｅａｕ  ｃｏｎｃｅｐｔ  ｄ’ｕｔｉｌｉｓａｔｉｏｎ（ａｌｔｉｍｅｔｅｒ−ｃｏｍｐａｓｓ  ｗａｔｃｈ  ｗｉｔｈ  ａ  ｎｅｗ  ｃｏｎｃｅｐｔ  ｏｆ  ｕｓｅ）」の要点２及び５を参照されたい。これらの文献は引用によって本明細書に組み込まれている。
【００２８】
図１ａ及び図１ｂにおいて、セキュリティコードは、２、５、及び３といった３つの数字で構成される。コードは、２つの数字だけ、又は４つ以上の数字を利用できることは明らかである。このことは、詳細にはマイクロプロセッサユニット内で不揮発性メモリ内に格納されているユーザによる事前プログラミングに依存する。
【００２９】
図１ａの図Ａに示すように、最初に、ユーザは、入力しようとするセキュリティコードである数字２といった第１の標点の感応キー又はパッド上に指を置く必要がある。マイクロプロセッサユニットは、第１の標点の感応キー又はパッド上に指が置かれると、直ちに入力コードの第１の標点を直接認識できる。しかし、所定期間だけ第１の標点のキー上に指を置いた場合にのみ入力コードである第１の標点の入力を確認できるようにすることも可能である。入力標点の認識のための所定期間は、マイクロプロセッサユニットを用いて予めプログラムできる。所定期間は、例えば、０．５から２秒の間に決めればよい。
【００３０】
ユーザは、指をガラス上で第１の標点から反時計方向の軌跡ｄ１上を又は時計方向の軌跡ｅ１上を動かして、入力しようとする第２の標点の感応パッド又はキーに到達する。第２の標点は数字５として定められるとする。時計のマイクロプロセッサユニットは、連続的に起動された感応キー又はパッドによって、時計ガラス上の指の移動軌跡（ここでは時計方向又は反時計方向）を判定する。第１の軌跡ｄ１上では、数字５へ向かう指の動きによって数字１及び６のキーが起動させられる。第２の軌跡ｅ１上では、数字５へ向かう指の動きによってキー３及び４が起動させられる。従って、反時計方向の第１の軌跡上で数字２及び５を用いた第１のコードを入力でき、時計方向の第２の軌跡上で数字２及び５を用いた第２のコードを入力できる。つまり、本発明によれば、セキュリティコードの数列に加えて、指の移動軌跡を識別する必要がある。
【００３１】
セキュリティコードが２つの標点並びにガラス上での指の回転方向によってのみ決められた場合、数字５は入力コードの最後の数字となる。指を数字５から離すことによってこの数字を入力でき、このことは、入力コードの有効化を可能にする。しかしながら、セキュリティコードの数字５の入力は、図１ａの図Ｂに示すように所定期間にわたって数字５のキー上に指を保持し続けることによって行うこともできる。
【００３２】
２つだけの数字、及び時計方向又は反時計方向への指の移動方向を用いて、コードの２つの数字を入力するのに指を１回転以上させことなく、時計ガラスの６つのキーを用いて７２のセキュリティコードを入力できる。２つの数字は「１、１」又は「１、２」のように同じであってもよく異なっていてもよい。
【００３３】
当然、マイクロプロセッサユニットが入力コードの第１の数字から第２の数字までの時計方向又は反時計方向の指の回転数を記憶する場合、２つの数字を用いてより多数のセキュリティコードを入力できる。
【００３４】
ユーザは、指をガラス上で数字５を表す第２の標点から時計方向の軌跡ｄ２上を又は反時計方向の軌跡ｅ２上を動かして、入力コードの第３の標点の感応パッド又はキーに到達することができる。第３の標点は数字３とする。前述のように、マイクロプロセッサユニットは、連続的に起動された感応キー又はパッドによって、時計ガラス上の指の移動軌跡（ここでは時計方向又は反時計方向）を判定する。第３の時計方向の軌跡ｄ２上では、数字３のキーに向かう指の動きによって、数字６、１、及び２のキーが起動される。反時計方向の第４の軌跡ｅ２上では、数字３のキーへ向かう指の動きによって数字４を表わすキーが起動される。セキュリティコードの数字３を入力するためには、図１ａの図Ｃに示すように、指を所定期間にわたって数字３の感応パッド又はキー上に保持する必要がある。入力されるセキュリティコードを有効化するために、指を数字３の感応パッド又はキーから離す。この時点でマイクロプロセッサユニットはセキュリティコード入力の終了を記憶する。従って、４つの異なるセキュリティコードは、時計ガラス上の指の移動軌跡で指示される順に数字２、５、及び３を用いて入力できる。
【００３５】
３つの数字、及び時計方向又は反時計方向への指の移動軌跡を用いて、コードに入力される１つの数字から他の数字へ指を１回転以上させることなく、ガラスの周囲の６つのキーを利用して８６４の異なるセキュリティコードを入力できる。この場合、マイクロプロセッサユニットは、指の移動軌跡を判定するために、各々の標点の間で起動される感応キー又はパッドを検出するだけでよい。
【００３６】
前述のように、マイクロプロセッサユニットが入力コードの異なる数字の間の時計方向又は反時計方向の指の回転数を記憶する場合、３つの数字を用いてより多くのセキュリティコードを入力できる。
【００３７】
迅速な入力方法において、少なくとも３つの標点を含むセキュリティコードの第２の標点の入力は、入力コードの第２の標点の感応キー又はパッド領域での指の軌跡の変化を検出することによって行うことができる。図１ａ及び図１ｂに示す実施形態において、マイクロプロセッサユニットは、時計方向の軌跡から反時計方向の軌跡への変化又はその逆の変化を検出する。結果的に、セキュリティコードを入力するために第２の標点のキー上での待ち時間を設ける必要がないので、セキュリティコードを迅速に入力できる。しかしながら、入力可能なセキュリティコード数は少なくなる。指を反時計方向の軌跡ｄ１上を第１の標点のキーから第２の標点のキーの方向へ動かした後に、直ちに時計方向の軌跡ｄ２上を第３の標点のキーへ動かすことができる。また、指を時計方向の軌跡ｅ１上を第１の標点のキーから第２の標点のキーへ動かした後に、直ちに反時計方向の軌跡ｅ２上を第３の標点のキーへ動かすことができる。ユーザは、第３の標点のキーから指を直ぐにガラスから離すことができ、これらの３つの数字及び指の軌跡を用いてセキュリティコードを有効化できる。
【００３８】
軌跡の変化を検出することで、時計ガラスのキーを用いて入力されるセキュリティコードは、金庫のダイアルロックによるセキュリティコードの入力と同様である。
【００３９】
当然、時計ガラス上に入力可能なセキュリティコード数は多くできる。この目的のために、マイクロプロセッサユニットは、ガラス上で第１の標点から第２の標点まで、又は第２の標点から第３の標点までの間に起動される各々のキーの順序を検出できる必要がある。しかしながら、ユーザは、入力コードの各々の標点の間で彼らの指がたどるべき経路を覚えておく必要がある。迅速かつ確実な方法は、入力コードの各々の標点の間で反時計方向又は時計方向にベゼルの上縁を指でたどることである。
【００４０】
前述のセキュリティコードを入力する全ステップは、図１ｂに詳細に示されている。図Ａにおいて、指又はスタイラスは、起動される数字２を表している太字印刷のキーによって示されている。ユーザは、指又はスタイラスを数字２から反時計方向の軌跡ｄ１又は時計方向の軌跡ｅ１上で動かして、数字５のキーに到達する。図Ｂにおいて、指又はスタイラスは、セキュリティコードに入力される数字５を表す太字印刷のキーによって示されている。指又はスタイラスは、コード入力のために所定期間にわたって数字５のキー上に保持させるようにしてもよい。また、数字５は、数字５のキー領域内で指又はスタイラスの軌跡を変化させることによって入力できる。ユーザは、指又はスタイラスを数字５のキーから時計方向の軌跡ｄ２又は反時計方向の軌跡ｅ２上でガラス上で動かして、数字３のキーに到達する。図Ｃにおいて、指又はスタイラスは、入力される数字３を表す太字印刷のキーによって示される。数字３は、数字３のキーの上に所定期間にわたって指又はスタイラスを保持することによって、又は単に指又はスタイラスをスクリーンから離すことによってセキュリティコードに入力できる。
【００４１】
コード入力のステップ中、コードの標点及び指がたどる経路は、許可コードの確認の前にマイクロプロセッサユニット内に一時的に記憶される。従って、コードの入力が終了すると、マイクロプロセッサユニットでは入力されたセキュリティコードの確認操作を実行する。時計ガラスに入力されたセキュリティコードが予め記憶されているコードと一致する場合、ユーザはダイアリー機能等の時計の特定の機能にアクセスできる。しかしながら、このセキュリティコードは短距離無線周波数信号によって送信して、コンピュータ・ワークステーション等の電子装置、又は防護ドアや門戸構造へのアクセスを許可することもできる。
【００４２】
セキュリティコードの確認は、マイクロプロセッサユニット又は時計からのセキュリティコード信号を受信する電子装置によるコード入力の種々のステップの間に、直ちに実行できる点に留意されたい。
【００４３】
セキュリティコードの入力方法の予備ステップにおいて、ユーザは、彼らが時計の特に不揮発性メモリ内に記憶することを望む数字及び指の移動軌跡を決めることができる。そのためには、ユーザは、セキュリティコードの変更又は記憶モード時に前述の操作を同様に実行する必要がある。
【００４４】
セキュリティコードの入力モード、又は前述のコード変更又は記憶モードにおいて、アナログ時計の時針は、セキュリティコードを構成する各々の数字を示すように動かすことができる。
【００４５】
図４ａでは、図１ａで示した腕時計１が、パーソナルコンピュータ・ワークステーションにアクセスするためのセキュリティコードの入力方法を実行するのに使用されている。コンピュータ・ワークステーション２０は、基本的にキーボード２３、マウス２２、及びモニタ２１を備えている。一般に、パーソナルコンピュータ・ワークステーション２０を使用するにはキーボード２３を用いてパスワードを入力する必要がある。しかしながら、本発明によれば、パスワード又はセキュリティコードの入力は、図１ａに関連して説明したように腕時計１を用いて行うことができる。
【００４６】
また、コンピュータ・ワークステーション２０は、ＵＳＢケーブル２５又は他の形式のケーブルによってコンピュータ・ワークステーションの入力ポートへ接続された周辺機器ボックス２４を備える。ボックス２４は、コンピュータ・ワークステーション２０用のアンテナ２６を有する短距離無線周波数信号の送信及び／又は受信手段を備えている。変形例として、コンピュータ・ワークステーションの送信及び／又は受信手段は、ワークステーション本体と一体化できることは明らかである。また、時計１は、コンピュータ・ワークステーションの作動領域内への情報の一方向又は双方向通信のための、アンテナ２を有する短距離無線周波数信号の送信及び／又は受信用手段を備えている。従って、それぞれ送信及び／又は受信手段を有する２つのユニットは、本発明によるセキュリティコードの入力方法の実行を可能にする。
【００４７】
ワークステーションが起動させられると、直ちに腕時計へ問い合わせ信号を送信して時計をコード入力モードにすることができる。この問い合わせ信号は、時計のコントロールキーをセキュリティコードの入力が可能なように制御する。実行可能な操作情報は、時計の液晶ディスプレイ６上に表示できる。ユーザは、彼らのセキュリティコードの入力を開始できる時期、及び入力コードが正しいか否かの情報を得ることができる。
【００４８】
時計にコードを入力すると、マイクロプロセッサユニットは、入力コードの有効性を照合し、暗号化形式のセキュリティコードを送信するための送信手段を制御する。コンピュータ・ワークステーションは、セキュリティコード又はパスワードを受信して、時計に入力されたセキュリティコードが正しい場合は、それらの種々のアプリケーションへのアクセスを可能とする。
【００４９】
時計に入力されたセキュリティコードの照合は、コンピュータ・ワークステーションにおいても実行できることに留意されたい。この場合は、時計のマイクロプロセッサユニットは、コンピュータ・ワークステーションにセキュリティコードを送信するために、入力されたセキュリティコードの処理操作を実行するだけである。
【００５０】
図４ｂには、ドア３２を通って保護場所にアクセスするためのセキュリティコードの入力方法を実行するための、腕時計の第２の実施形態が示されている。保護場所への入口において、セキュリティコードを確認するための装置３０は、記憶済みセキュリティコードが未入力であればドア３２をロックする。装置３０は、腕時計と近距離で通信するために光信号を送信及び／又は受信する手段３１を有し、同様に腕時計は光信号の送信及び／又は受信の手段２’を有する。一般的に、時計の手段２’は、過度のエネルギ消費を防ぐために、腕時計のプッシュボタン９が押され送信モードが選択された場合にのみ作動する。ボタン９が押されると、時計ガラスのコントロールキー４は直ちに操作可能となる。視覚又は聴覚による通知は、コード入力の開始又は入力コードの変更を通知できる。
【００５１】
第２の実施形態において、コントロールキー４は、時計ガラス上にマトリックス形状に配列された感応パッドを含んでいる。各々のコントロールキーは、特定の数字又は番号を代表する感応パッドによって形成されている。しかしながら、マイクロプロセッサユニットのプログラミングにもよるが、各々のコントロールキーは、一群の感応パッドによって形成することもできるであろう。図４ｂにおいて、時計ガラスは、１６のコントロールキー４を表す１６の感応パッドを含む。当然、２５個又はそれ以上のコントロールキーを時計ガラス上に設けることもできる。キーの個数が多すぎる場合、マイクロプロセッサユニットは、セキュリティコードを入力するためにどの設定パッド又は一群のパッドが指で選択されたかを検出する必要がある。
【００５２】
図４ｂにおいて、４及び９の２つの数字又は番号だけを含むセキュリティコードを入力する方法が示されている。最初に、数字４を表すキーの第１の標点に指を置く。入力コードである数字４を入力するために、所定期間にわたって指をこのキーの感応パッドの上に置いたままにするようにしてもよい。変形例では、数字４のキー上に指を置くとマイクロプロセッサユニットは直ちに数字４を記憶する。指をこの第１の標点から複数の可能性のある軌跡上を動かして数字９を表すキーである第２の標点まで動かす。第１の軌跡ｔ１及び第２の軌跡ｔ２は、それぞれ実線及び破線で図示されている。マイクロプロセッサユニットは、第１の標点から第２の標点までのガラス上の指の動きによって起動された感応キー又はパッドを検出する。マイクロプロセッサユニットは、セキュリティコードを入力するためにたどった各々の軌跡に特定の指標を割り当てる。結果的に、コードの数字及び番号の軌跡に加えて、ガラス上の第１の標点から第２の標点までの指の移動軌跡を記憶する必要がある。
【００５３】
当業者であれば、以上の説明を検討することで請求項に記述した本発明の構成を逸脱することなく、セキュリティコードの入力方法に関する幾つかの変形例を考えることができるであろう。本発明による方法を実行するためのタッチスクリーンは、腕時計、携帯電話、又はスクラッチ・パッド型電子デバイスといった携帯型機器だけでなく、所定場所の装置に配置されている電子デバイスの一部を形成できる。感応パッドの数は１００以上であってもよい。この場合は、マイクロプロセッサユニットのプログラミングに基づいて、各々のコントロールキーは、一群の感応パッドによって形成される。更に、電子デバイスに格納され、複数の装置、複数の場所、又は複数の機能にアクセスできる、複数のセキュリティコードを設けることができる。セキュリティコードは、４つ以上の標点を含むこともできる。
【図面の簡単な説明】
【００５４】
【図１ａ】第１の実施形態による腕時計等の電子デバイスのタッチスクリーンを利用した、本発明によるセキュリティコードの種々の入力ステップを示す。
【図１ｂ】図１ａの発明による方法のセキュリティコードの種々の入力ステップの追加の概略図である。
【図２】図１ａの腕時計のＡ−Ａ線に沿う部分断面図である。
【図３】本発明によるセキュリティコードの入力方法を実行するための図１ａの腕時計の種々の電子ユニットの概略図である。
【図４ａ】本発明によるセキュリティコードの入力方法を実行するためのコンピュータ・ワークステーション及び図１ａの腕時計を示す。
【図４ｂ】ドアで閉ざされた保護場所と、この場所にアクセスするための本発明によるセキュリティコードの入力方法を実行するための腕時計の第２の実施形態を示す。
【符号の説明】
【００５５】
１  時計、  ２  アンテナ、  ３  ケース、  ３ａ  ベゼル、  ４  コントロールキー
５  タッチスクリーン、  ６  液晶ディスプレイ、  ７  時針、  ８  文字盤
９  コントロールボタン、  ｄ１  反時計方向の軌跡、  ｅ１  時計方向の軌跡
【図１ａ】
2004178584.tif 000003
【図１ｂ】
2004178584.tif 000004
【図２】
2004178584.tif 000005
【図３】
2004178584.tif 000006
【図４ａ】
2004178584.tif 000007
【図４ｂ】
2004178584.tif 000008